(57)【特許請求の範囲】
【請求項１】
電流又は電圧を作用させることにより視認状態が変化することが可能な表示箇所を有する面状部分を有する表示媒体において、該表示箇所をその両側から挟む信号電極と走査電極とを該表示箇所を両側から挟む基板上にそれぞれ設け、該両側の信号電極および走査電極に電流又は電圧を印加せしめるための電気配線をそれぞれの基板上に設け、該信号電極または該走査電極のうちのどちらか一方に関係する電気配線を有するどちらか一方の側の基板が多層電気配線構造を有し、該多層電気配線の該信号電極または該走査電極のうちの該どちらか一方の電極を含まない層部分の電気配線に印加される電流又は電圧の少なくとも一部分が、該信号電極または該走査電極のうちの該どちらか一方の電極を含む層に印加される電流又は電圧に対応した電気接続配線構造を有し、該電気接続配線構造が、該信号電極または該走査電極のうちの該どちらか一方の電極と、該信号電極または該走査電極のうちの該どちらか一方の電極に電気接続されるコネクタ端子と、該信号電極または該走査電極のうちの該どちらか一方の電極と該コネクタ端子とを電気接続する、該コネクタ端子とは同じ層かつ該どちらか一方の電極とは異なる層に設けた接続配線とからなり、該多層電気配線構造を有する基板上に設けられた電気配線の少なくとも一部となる該信号電極または該走査電極のうちの該どちらか一方の電極と接続される、該多層電気配線構造を有する基板上に設けたコネクタ端子が、該表示媒体の面と平行な方向の端面の一つに整列構造を有し、該もう一方の側の電気配線の少なくとも一部となる該信号電極または該走査電極のうちのもう一方の電極と接続される、該多層電気配線構造を有する基板上に設けたもう一つのコネクタ端子が、該整列構造を有する端面と同じ方向の端面に該整列構造と異なる列となる整列構造を有し、該異なる列となる整列構造を有する２種類のコネクタ端子が該多層電気配線構造の互いに異なる層に設けてあり、該表示箇所をその両側から挟む電極を設けた基板間で該多層電気配線構造を有する基板上に設けたもう一つの方のコネクタ端子と、該多層電気配線構造を有してはいない方の基板上に設けた該信号電極または該走査電極のうちの該もう一方の電極とを電気接続をする基板間接続電極兼コネクタ端子を有し、該多層電気配線構造を有する基板上に設けられた電気配線の一部となる２種類のコネクタ端子の整列構造に対応して接合及び分離可能な、電流又は電圧を印加せしめる電気回路を有する手段を設けたことを特徴とする表示媒体。
【発明の詳細な説明】
【０００１】
【発明の属する技術分野】
本発明は、電圧又は電流の作用により可逆的に視認状態を変化させうる表示媒体に関し、特に書き込み装置を着脱可能とした軽量薄型な表示を可能とする表示媒体に関する。
【０００２】
【従来の技術】
電界の作用により可逆的に視認状態を変化させうる表示媒体として、液晶、エレクトロクロミック素子、電気泳動素子等が知られているが、それらを用いた表示装置の多くは表示媒体が一対の電極基板とその間に挿入された表示要素からなり、各電極に画像を表示するための信号を印加する駆動回路が接続されている。
【０００３】
このような表示装置はマトリックス状の２次元駆動が容易であるため特にアクティブマトリックス駆動を採用することにより、高速かつ高解像度の書き込みが可能であるが、このアクティブ駆動素子への電圧又は信号の入出力端子の接続部分に縦及び横の配線及び接続部分が必要であり、表示媒体の実質的な表示部分よりも、表示媒体がかなり大きくなってしまい、小型化が困難であった。
【０００４】
このため、表示媒体が大型化し、紙のように手軽に持ち歩いたり、複数枚を並べて見るというような用途には不向きであった。また、表示媒体とアクティブ駆動素子が実質的に分離困難のため、表示媒体自体が高価でもあった。
【０００５】
走査線の少ないＴＮ型液晶、応答速度の遅いＳＴＮ型液晶、メモリー性を有するＳＦＬＣ型液晶、コレステリック型液晶等に対しては、単純マトリックス駆動を採用することにより、若干に画質が低下する場合はあるものの、簡易に安価な大画面の表示を得ることができることが知られている（例えば、特開平１０−１２３５５６号公報）。
【０００６】
しかしながら、紙のように手軽に持ち歩くためには、やはり表示画素への電圧又は信号の入出力端子の接続部分に縦及び横の配線及び接続部分が必要であり、表示媒体の実質的な表示部分よりも、表示媒体がかなり大きくなってしまい、小型化が困難であった。このような概念的アイディアに関しては、本出願人が提案した特開平９−１０１８６４号公報に記載のものがあるが、実際の電極構造、情報入出力構造に関しては、種々の検討の余地があった。
【０００７】
上記の素子に対しては、その材料により光アドレス、熱記録といった方法もあるが、ペン型アドレス以外で電気配線のない光アドレスは、偏向部分に空間的に表示媒体の幅と同程度の長さが必要であり、これもまた小型化が困難である。熱アドレスも、ペン型アドレス以外は、電気配線が必要であり、これはその抵抗を考慮すると高精細大画面表示にするには、透明電極レベルの抵抗で実現することは困難である。
【０００８】
一方、表示要素を挟む一対の基板の片方は電極のない絶縁物とし、その外側の表面にイオン照射手段によりイオン流を照射するなどして電荷を与え、それにより電界を印加する方式が知られている（例えば、特開平６−２０２１６８号公報）。この方式では表示媒体が書き込み部と分離しているため手軽に持ち歩いたり、表示媒体を複数個用意することによって、複数の画像を並べて見ることが容易にできるが、イオン照射手段を高密度に２次元配列することが困難であるために書き込みにはメカニカルな走査が必要となり、書き込み速度が遅くなるという問題があった。
【０００９】
【発明が解決しようとする課題】
本発明は、このような問題点を解決し、表示媒体及びこれに対する書き込み装置の携帯性を維持したまま、高速書き込みが可能で、しかも表示媒体を手軽に持ち歩いたり、複数の画像を並べて見ることが安価にできる紙の代替となる表示媒体を提供することをその課題とする。
【００１０】
【課題を解決するための手段】
本発明者らは、上記課題を解決すべく鋭意検討を行った結果、表示箇所への電圧又は電流印加のための一方の電気配線を基板上に多層配線構造として設けることにより、上記課題を解決し得ることを見出し、本発明を完成するに至った。
【００１１】
本発明は、電流又は電圧を作用させることにより視認状態が変化することが可能な表示箇所を有する面状部分を有する表示媒体において、該表示箇所をその両側から挟む信号電極と走査電極とを該表示箇所を両側から挟む基板上にそれぞれ設け、該両側の信号電極および走査電極に電流又は電圧を印加せしめるための電気配線をそれぞれの基板上に設け、該信号電極または該走査電極のうちのどちらか一方に関係する電気配線を有するどちらか一方の側の基板が多層電気配線構造を有し、該多層電気配線の該信号電極または該走査電極のうちの該どちらか一方の電極を含まない層部分の電気配線に印加される電流又は電圧の少なくとも一部分が、該信号電極または該走査電極のうちの該どちらか一方の電極を含む層に印加される電流又は電圧に対応した電気接続配線構造を有し、該電気接続配線構造が、該信号電極または該走査電極のうちの該どちらか一方の電極と、該信号電極または該走査電極のうちの該どちらか一方の電極に電気接続されるコネクタ端子と、該信号電極または該走査電極のうちの該どちらか一方の電極と該コネクタ端子とを電気接続する、該コネクタ端子とは同じ層かつ該どちらか一方の電極とは異なる層に設けた接続配線とからなり、該多層電気配線構造を有する基板上に設けられた電気配線の少なくとも一部となる該信号電極または該走査電極のうちの該どちらか一方の電極と接続される、該多層電気配線構造を有する基板上に設けたコネクタ端子が、該表示媒体の面と平行な方向の端面の一つに整列構造を有し、該もう一方の側の電気配線の少なくとも一部となる該信号電極または該走査電極のうちのもう一方の電極と接続される、該多層電気配線構造を有する基板上に設けたもう一つのコネクタ端子が、該整列構造を有する端面と同じ方向の端面に該整列構造と異なる列となる整列構造を有し、該異なる列となる整列構造を有する２種類のコネクタ端子が該多層電気配線構造の互いに異なる層に設けてあり、該表示箇所をその両側から挟む電極を設けた基板間で該多層電気配線構造を有する基板上に設けたもう一つの方のコネクタ端子と、該多層電気配線構造を有してはいない方の基板上に設けた該信号電極または該走査電極のうちの該もう一方の電極とを電気接続をする基板間接続電極兼コネクタ端子を有し、該多層電気配線構造を有する基板上に設けられた電気配線の一部となる２種類のコネクタ端子の整列構造に対応して接合及び分離可能な、電流又は電圧を印加せしめる電気回路を有する手段を設けたことを特徴とする表示媒体に関する。
【００１２】
【発明の実施の形態】
以下本発明の表示媒体について詳細に説明する。本発明は、電流又は電圧を作用させることにより視認状態が変化することが可能な表示箇所を有する面状部分を有する表示媒体に係るものであり、この表示箇所をその両側から挟む電極を設け、これら両側の電極に電流又は電圧を印加せしめるための電気配線をそれぞれ設け、この表示箇所の両側の電極に対応した電気配線の少なくとも一方の側の電気配線が多層電気配線構造をもつ基板に設けられており、かつこの多層電気配線の電極を含む層の電気配線と、同一基板上の電極を含まない層の電気配線と間において、印加される電圧又は電流が、同一の表示箇所に対して対応している部分を有していることにより、電気配線の方向を偏向させることができる。
【００１３】
（従来例）一般には、平面上に任意の画像を表示可能な表示媒体は、その解像度に相当した大きさ、ピッチの表示画素から構成され、任意の表示画素の視認状態を変化させることにより、任意の画像を表示することができる。この表示画素は、表示媒体を垂直方向から見た場合には上記表示箇所とほぼ同義である。表示画素の実質的な表示部分を表示箇所としている。この表示画素は、一般的には垂直座標上で示される座標に対応して配置されており、フルカラー表示であれば構成基準色のＲＧＢの３画素が、その用途がＯＡ用であれば水平方向、その用途がテレビジョン用であれば多角形形状といった配列でさらに細かく構成されている。
【００１４】
この平面的な配列の任意の表示画素に対して、電圧又は電流を印加可能とする電気配線は、そのセル構成にもよるが、一般的な対向電極からなる構成では、表示画素の表示箇所部分を挟む一方の電極を垂直座標のどちらかの方向に平行に短冊状に電気配線し、もう一方の反対側の電極をこれと直交するように短冊状に電気配線する単純マトリックスとよばれる構成とする。
【００１５】
また、アクティブマトリックスと呼ばれる構成では、表示箇所を挟む一方の電極にアクティブ素子と信号線と走査線を設け、もう一方の反対側の電極を共通電極とした場合には、信号線を垂直座標のどちらかの方向に平行に短冊状に電気配線し、走査線をこれと垂直に短冊状に電気配線する。
【００１６】
いずれにしても、表示画素からなる表示部分の端面には、電気配線の整列構造が設けられ、これに駆動用又は信号出力用のＩＣが、直接又はコネクタ等を介して設けられる。直接設置の場合には、ＣＯＧ（チップオングラス）、ＣＯＦ（チップオンフィルム）といった方法があり、コネクタ等を介した設置の場合には、ヒートシールコネクタ、異方性導電性ゴム、ＴＡＢ（テープオートメーテッドボンディング）、ＦＰＣ（フレキシブルプリント回路板）、ＰＣＢ（プリント回路板）等がある。
【００１７】
しかし、いずれの方法を用いても、そのＩＣ及びコネクト手段の形状により、座標軸に対応した２方向に嵩高くなり、表示媒体を小型化することが難しくなる。また、この表示媒体を、上記の駆動用又は信号出力用のＩＣと分離可能として、表示媒体のみを紙ライクに軽量、薄型、高可とう性、書き込み可能等の携帯表示媒体として用いようとすると、大きくなってしまう。さらには、上記の駆動用又は信号出力用のＩＣを含む分離可能な書き込み用装置の形状が、信号配分可能なＩＣを分離可能な表示媒体の本体に設けない限り、その電気配線との電気的接続に座標軸に対応して２方向が必要となるために、Ｌ形状アングルのような複雑な構造が必要となる。
【００１８】
また、信号配分可能なＩＣを分離可能な表示媒体の本体に設けることにより、通常の表示装置のように電源と表示用信号を表示媒体に供給するだけで任意の画像を表示可能となるが、信号を分配するための配線も必要になり、また表示媒体がその分、大きく、厚く、重くなり、さらにはコストも増加する。
【００１９】
図２２、図２３、図２４は、上記の従来例の一つを説明する実施概要図である。従来例では、図２２に示すように、走査線と信号線に対応して、２方向に電気配線の配列構造が必要であり、この配列に付随して、一般的には、ＣＯＧ、ＣＯＦといった手段の部材、又はヒートシールコネクタ、ワイヤボンド、マイクロバンプ、導電性接着剤、異方性導電性ゴム、ＴＡＢ、ＦＰＣ、ＰＣＢ等のコネクタ手段の部材が単独又は複合で設けられる。また、分離可能な表示媒体とした場合には、図２３に示される、Ｌ形状アングル構造の書き込み装置１０１が必要となる。図２４は、この分離可能な表示媒体本体自体も、２方向の圧着によるコネクタ端子を設けた場合であり、このコネクタ端子の部分が２方向に対して表示部分に対して余計な面積を必要とし、表示媒体の面積自体を大きくしてしまう。一方、セグメント配置等の場合には、一方向にのみ表示媒体の端面にコネクタ端子を設けることができるが、表示する画像が大いに限定されてしまう。
【００２０】
（本件参考発明の実施形態）本件参考発明の一実施形態を図１〜図５を参照して以下に説明する。図１〜図５は、本件参考発明による一実施形態の実施概要図であり、単純マトリックス構造の例である。図１は表示媒体の構成要素を示し、図２はこの表示要素を上から見た図であり、図３は図１のＸ−Ｘ’断面図であり、図４及び図５は図１の構成要素をさらに詳細に示す図である。これらの図において、１（１ａ，１ｂ，１ｃ，１ｄ）は走査電極２のコネクタ端子、２（２ａ，２ｂ，２ｃ，２ｄ）は表示箇所を挟んで対向させる走査電極である。１０（１０ａ，１０ｂ，１０ｃ，１０ｄ）は絶縁膜４の下に設けられた、コネクタ端子１と走査電極２とを接続する接続配線であり、走査電極２と多層構造を形成している。３はこれらの走査電極関係の電気配線を設けた基板、５（５ａ，５ｂ，５ｃ，５ｄ）は走査電極２のコネクタ端子１と接続された走査電極スイッチング部分、９（９ａ，９ｂ，９ｃ，９ｄ）は表示箇所を挟んで対向させるもう一方の信号電極であり、これらはこの形状のまま信号線のコネクタ端子でもある。６（６ａ，６ｂ，６ｃ，６ｄ）は信号電極９のコネクタ端子部分と接続された信号電極スイッチング部分、８はこれらの信号電極関係の電気配線を設けた基板である。これら電気配線は絶縁膜１１で覆われている。７は２つのスイッチング部分間に設けられた直流又は交流電源である。基板３と基板８とは表示箇所を構成する表示層を挟んで、図に表された部分が対向するように、互いに重ね合わされる。図２において、１６箇所の表示箇所が存在し、１２ａ，１２ｂ，１２ｃ，１２ｄはそのうちの同じ走査電極２上の４箇所で、信号電極９ａ、走査電極２ａ間に電圧が印加されていることにより、１２ａが斜線部として表示されている。図３において、１３はスペーサ兼封止部分、１４は表示箇所と同じ表示材料である。上記のコネクタ端子とスイッチング素子との接続部分は、信頼性向上のためエポキシ樹脂、シリコン高分子樹脂等で被覆されている。
【００２１】
基板３上には、図４に示すように、走査電極コネクタ端子１（１ａ〜１ｄ）及び接続配線１０（１０ａ〜１０ｄ）が図示の形態で設けられている。また、これらの上には、図５に示すように、絶縁膜４を介して走査電極２（２ａ〜２ｄ）の電気配線が図示の形態で設けられている。そしてこれら２つの電気配線は、図４及び図５の斜線部分でオーミック接触している。
【００２２】
図２に示されるように、本実施形態の構成をとることにより、コネクタ端子が図の上下方向のみに配置されることとなり、左右には配置されなくなるので、このコネクタ端子に接続される駆動用ＩＣの電気回路等も含めて、表示媒体の平面的な大きさを小さくすることができる。
【００２３】
なお、信号電極を基板８上に設けないで、アクティブ素子と同時に基板３上に信号電極と走査電極を設ける場合には、信号電極と走査電極との交差部分が電気的に接触しないようにするために多層配線構造が必要なため、少なくともこれらの信号電極と走査電極の電気配線に関して３層構造をとればよい。また、信号電極を基板８上に設けないで、対向電極の組み合わせを基板３上に同時に設けて、水平方向を含む電界を表示箇所に印加する場合にも、同様に、少なくともこれらの信号電極と走査電極の電気配線に関して３層構造をとればよい。
【００２４】
本実施形態において用いる基板は、薄い材料そのものを基板としてもよいが、表示箇所又は表示材料を含む層そのものを基板として用いて、これに電気配線を設けてもかまわない。つまり基板自体が表示箇所を含むもの、又は表示箇所から構成されるものであってもよい。また、本実施形態では、走査電極を多層構造としているが、信号電極を多層構造としてもよく、また両方を多層構造としてもよい。
【００２５】
図６及び図７は、本件参考発明による別の実施形態の実施概要図であり、多層構造をもつ基板の断面図を示し、基板の表面と裏面に走査電極関係の電気配線２ａ、及び１０ａ〜１０ｄが設けられており、図６の１３は、スルホール構造による表裏の電気配線の接続部分であり、図７の１４は、基板エッジ部分に導電性ペーストを印刷塗布したものによる表裏の電気配線の接続部分である。このエッジ部分の導電性材料としては、導電性ペーストに限定されるものではなく、導電性の金属、酸化物の薄膜を形成してもよく、またワイヤからなる金属部材を用いてもよい。
【００２６】
電気配線は、基板上の１つの側に限定されるものではなく、基板の表裏を用いてもよく、さらにはこれらを複合して用いてもよい。また３層以上の多層構造を、信号電極と走査電極のために用いることも効果的である。
【００２７】
本発明の表示箇所は、液晶、エレクトロクロミック、電気泳動、有機ＥＬ、無機ＥＬ、ＬＥＤ等の電圧又は電流の作用によりその視認性を変化させうるものであればよく、また、その表示に電圧又は電流を光、磁界、熱、圧力等と補助的に使用する場合に対しても同様に効果的である。
【００２８】
基板３又は８はガラス、プラスチック等からなり、視認側に用いる場合には透明な材質が選ばれる。表示媒体の携帯性を向上させるためには、その厚さは好ましくは１ｍｍ以下、さらには好ましくは０．２ｍｍ以下である。これら基板には、石英ガラス、無アルカリガラス、パイレックス、青板ガラス、白板ガラス、さらに薄い基板を使用したい場合には、ポリーカーボネート、ポリエステル、ナイロン、ポリイミド等が使用される。走査電極関連又は信号電極関連の電気配線は、ＩＴＯ、ＳｎＯ２、ＺｎＯ：Ａｌ、カーボン等の無機化合物、ポリアニリン、ポリピロール、ポリアセチレン等の有機化合物や、又はＴａ、Ｍｏ、Ｗ、Ｃｒ、Ａｌ、Ｃｕ、Ａｇ等の金属や、さらにはそれらの複合体又はそれらを含有する導電体薄膜からなり、スパッタリング法、真空蒸着法、ＣＶＤ法、塗布、印刷、電着、電解等で形成される。基板８を視認側に用いる場合には、信号電極９として、ＩＴＯ、ＳｎＯ２、ＺｎＯ：Ａｌ等の透明な材質が選ばれる。また、絶縁膜４は、０．１〜１０ミクロンの厚さに形成され、無機化合物、プラスチック等が用いられ、具体的には、チタン酸バリウム、ポリフッ化ビニル（ＰＶＦ）、ポリエチレンテレフタレートエステル（ＰＥＴ）、ポリイミド、テフロン、ＳｉＮｘ、ＳｉＯｘ等を用いることができる。
【００２９】
本件参考発明の表示箇所に対する、電圧又は電流の印加方法ないし駆動方法としては、セグメント電極による直接印加方式、単純マトリックス方式、ＴＦＴ、ＭＩＭ、プラズマアドレス等によるアクティブマトリックス方式等、いろいろあるが、セグメント電極方式はその表示可能な画像が限定されること、アクティブ方式はその高い画像品質が特徴ではあるが、薄い基板であるプラスチックをその形成時の高温プロセス上形成しにくいこと、プロセスが複雑でさらに多層構造となり信頼性が低下しまた高価なことから、単純マトリックス駆動であり、複数の信号電極と走査電極を備え、その交差部に画像信号に応じて表示媒体に電界を印加することのできるスイッチング素子を有し、それによって前記表示媒体に画像を表示するように構成された方式が好ましい。
【００３０】
本件参考発明の表示媒体における構造としては、電界の消去後も表示された画像を保持するものであることを特徴とすることが好ましい。これにより、書き込み手段からの画像信号に応じた電圧又は電流の印加により画像を長時間保持することができ、紙のような比較的長時間同一内容を保持する静止画を対象とする場合には、テレビ放送、インターネット画像、編集中文書画像等を目的とした高速画像書換えが必要な表示と異なり、電界の消去後も表示された画像を保持するものであることを特徴とすることが好ましい。さらには、単純マトリックス駆動の場合には、その走査電極数を非常に大きくすることができ、大画面、かつ高精細の表示を可能とすることもできる。
【００３１】
このような構造は、表示媒体に単純マトリックスの構造を、アクティブ素子の構造よりはるかに安価に作製することができ、かつ信頼性も高いことから、紙のように曲げたり、複数枚の使用を考慮したときには、非常に効果的である。さらには、携帯時においては、画像の保持に電力を消費しないばかりか、電力表示媒体が書き込み手段と一体である必要もなくなる。
【００３２】
電界の消去後も表示された画像を保持できる、すなわちメモリー性を有する表示媒体としては、強誘電性液晶、メモリー性高分子分散型液晶、双安定性コレステリック液晶、エレクトロクロミック素子、電気泳動素子等が挙げられるが、これらに限定されるものではなく、光、熱、磁界、圧力等を複合して用いるものでもよい。
【００３３】
本件参考発明によるさらに別の実施形態を図８に基づいて以下に説明する。図８において、基板１７は、電気配線１０ａ〜１０ｄを設けた基板３とは別体となる基板であり、この基板１７上には、走査電極２ａが設けてあり、この基板１７を絶縁膜４の上にのせ、絶縁膜４に接着剤で密着させている。１５は、電気配線１０ａと電気配線２ａを接続する導電性部材であり、導電性材料を用いて塗工、印刷、スパッタ等により形成される。このように、基板上に単層の電気配線のみを形成した単純な基板を２枚貼合わせることにより、簡単に多層構造からなる走査電極を形成することができる。
【００３４】
上記の絶縁膜４は、設けなくてもかまわないが、基板との密着性を向上させるため平滑化膜又は表面改質膜として設けた方が好ましい。さらには、これらの間に別の層を設けた方が、密着性という点ではより効果的である。
【００３５】
また、この構成での製造工程においては、ポリイミド等の絶縁膜の塗工印刷、加熱工程が不要で、プロセス的に簡略化することができると同時に、熱膨張係数の同じ基板を重ねているので、絶縁膜に異種材料を使用した場合に比べて、基板の潜在応力及び温度変化時の応力が低減できる。
【００３６】
本件参考発明によるさらに別の実施形態を図９に基づいて以下に説明する。図９は、図２の状態に相当する実施概要図であり、１ａ〜１ｄからなる走査電極のコネクタ端子、及び１６ａ〜１６ｄからなる信号電極のコネクタ端子が、互いに一方向の反対側に配列してなるものであり、これらのコネクタ端子は、配線が接続されておらず、また封止材料等により密封されておらず、外部にそのまま露出した構造をとっている。このように、コネクタ端子を未接続状態のまま露出した構造で表示媒体が単独で成り立つように構成することにより、表示媒体を書き込み手段から外して手軽に持ち歩いたり、表示媒体を複数個用意することによって、紙のように重ねたり複数の画像を並べて見ることが容易にできる。これらの電極は、露出可能な構造であれば構わなく、通常はカバーで被覆することによりこれらの電極を保護するとより効果的である。
【００３７】
また、この露出構造を有する表示媒体としては、すなわちメモリー性を有する表示媒体としては、強誘電性液晶、メモリー性高分子分散型液晶、双安定性コレステリック液晶、エレクトロクロミック素子、電気泳動素子等が特に好ましい。メモリー性を有しない場合には、表示媒体を単独にすると同時に、消去工程を行うことになるので、その用途が限定される。このため、紙と同様に使用したいときには、表示媒体になんらかのメモリー性を保持する電源又は構造を設ける必要がある。しかしながら、メモリー性を有する場合には、上記の紙と同様に、特別な手段を設けなくても画像データを保持することができる。
【００３８】
本発明による実施形態を図１０〜図１３に基づいて以下に説明する。図１０は、図１の左側の状態に相当する実施概要図であり、１ａ〜１ｄからなる走査電極のコネクタ端子、及び１７ａ〜１７ｄからなる信号電極のコネクタ端子が、互いに一方向の同じ側に配列してなるものであり、走査電極２ａ〜２ｄは、基板３上に設けれらた電気配線１８ａ〜１８ｄにより、図面の左側片側配列が図面上部の１ａ〜１ｄに偏向されており、また絶縁膜１９上には、あらたに導電性材料からなる配列したコネクタ端子１７ａ〜１７ｄが設けられている。
【００３９】
図１１は、図１の右側の状態に相当する実施概要図であり、２０ａ〜２０ｄからなる信号電極が基板８上に形成されており、この信号電極上部には接続用のマイクロバンプ２１ａ〜２１ｄが設けてあり、基板３と基板８とは表示箇所を構成する表示層を挟んで、図の表面が接するように互いに重ね合わされる。このとき、コネクタ端子の図面下部とマイクロバンプ２１ａ〜２１ｄが対応するようになっており、基板８上に設けた信号電極を基板４上に簡単に接続することができる。
【００４０】
図１２は、表示媒体を上部から見た図であり、１６個の表示箇所が存在し、２２ａ、２２ｂはそのうちの同じ走査電極上の２箇所であり、信号電極１ｄ、走査電極１７ｄ間に電圧が印加されていることにより、斜線部２２ａが表示されている。図１３は、図１０のＹ−Ｙ’断面図である。
【００４１】
図１２、図１３に示すように、表示媒体の走査電極のコネクタ端子からなる配列と、信号電極のコネクタ端子からなる配列は、表示媒体表面の同一方向の同じ側に位置しており、このため表示媒体本体そのものを小型化できる。さらには、これに接続する駆動用ＩＣ等の電気回路をも同一方向の同一側とできるために、さらに小型化に対して有利となる。
【００４２】
さらには、１７で示される基板間接続電極兼コネクタ端子を設けることにより、コネクタ端子の表面が、走査電極と信号電極とで図の表面となる同一方向にすることができるので、駆動用ＩＣの接続方向を同じとすることができ、表示媒体の厚さ方向に小型化できるばかりか、コネクタ端子と駆動用ＩＣとの接続を片側に接触、圧着すればよい等、非常に簡単に製造できるようになる。
【００４３】
この１７で示される基板間接続電極兼コネクタ端子には、マイクロバンプ以外も、導電性接着剤、導電性ペースト、導電性高分子、導電材料と接着剤等を印刷してもよく、また、はんだ、金属の圧着等の金属接合を用いて接続してもよい。
【００４４】
本発明によるさらに別の実施形態を図１４に基づいて以下に説明する。図１４において、２３は、表示媒体本体と分離可能でかつ駆動用ＩＣを設けてある表示媒体書き込み部分であり、２５ａ，２５ｂはそれぞれ信号電極用、走査電極用の接続用端子であり、図示はしていないがバネを含有しており、表示媒体本体をコ型の隙間に挿入することによりその先端で簡単に圧着することができ、２４ａ，２４ｂは、裏面の支え部分である。この表示媒体書き込み部２３は、図１５に示すように、表示媒体本体２６ａを挟むことができ、また図１６に示すように、表示媒体本体とも分離することもでき、また表示媒体２６ａ〜２６ｃは、図示するように紙のように簡単に、薄型小型に積層することができる。
【００４５】
また、これらの接合部分は、圧着構造による電気的接続であることが好ましい。圧着により、簡単に分離、接合可能となるためである。さらには、平面的な表示媒体本体の端子を、板ばね、コイルばね構造を有する材料ではさむ構成部材を表示媒体書き込み部に設けることが特に好ましい。
【００４６】
このような分離可能な構造を設けた場合には、表示媒体本体及び表示媒体書き込み部を非常に小型にすることができると同時に、表示媒体本体への画像の書き込み時に、表示媒体本体と表示媒体書き込み部を一体として機能させ、このまま視認することができる。また書き込みの後に、表示媒体本体と表示媒体書き込み部を分離することにより、表示媒体本体を小型、薄型とすることにより、紙と同様の曲げる、重ねる、並べる、ファイルする等の扱いができるようになる。
【００４７】
これらの接続部分には、表示媒体本体又は表示媒体書き込み部の少なくともどちらかに位置決め機構及び／又は位置決め検出機構を設けることが効果的である。位置決め機構としては、簡易的に、突き当てによる位置決めでもよいが、表示媒体にあらかじめ形成したパターンを設けて電気的にあるいは光学的に認識することによりその位置検出をして、これをフィードバックすることにより位置をアクティブ、水平２方向、垂直、回転方向等を変化させて調整することがより好ましい。また、アクティブに調整しなくとも、位置検出の結果を利用して、表示媒体書き込み部から印加する電圧又は電流の出力信号を調整、制御して出力することにより、位置ずれの影響を低減することも好ましい。
【００４８】
また、これらの接続部分は、平面状の圧着に限定されるものでなはなく、ソケット方式、差込状のコネクタ方式、磁気誘導方式、非接触方式等の他の接続方法を用いてもよい。
【００４９】
また、図１７の２５に示すように、表示媒体書き込み部分は図１６の２３のようにクリップ状である必要はなく、ボード状を基本形状として表示媒体本体との接合部分を一部に設けてもよい。
【００５０】
さらに、これらの表示媒体書き込み部には、駆動用のＩＣ以外にも、演算機能、表示機能、記憶機能、通信機能、入力機能等を備えることにより、小型のパーソナルコンピュータとして用いることもできる。また、分離した表示媒体本体は、単に積層するだけではなく、雑誌、書籍、新聞紙等のような形態として利用することも効果的である。
【００５１】
本発明によるさらに別の実施形態を図１８に基づいて以下に説明する。図１８は、表示媒体本体と表示媒体書き込み部との位置ずれを示した実施概要図であり、図１８の２６ａ〜２６ｃは表示媒体本体の幅１．４ａ．ｕ．のコネクタ端子であり（電極のピッチを２．０ａ．ｕ．とする）、（ａ）の位置にある２７ａ〜２７ｃは、表示媒体書き込み部分の幅０．５ａ．ｕ．のコネクタ端子であり、この（ａ）の位置が位置ずれ０ａ．ｕ．の位置であり、（ｂ）の位置にある２８ａ〜２８ｃは、表示媒体書き込み部分のコネクタ端子であり、この（ｂ）の位置が左位置ずれ０．５ａ．ｕ．の位置であり、（ｃ）の位置にある２９ａ〜２９ｃは、表示媒体書き込み部分のコネクタ端子であり、この（ｃ）の位置が右位置ずれ０．８ａ．ｕ．（左位置ずれ１．２ａ．ｕ．）の位置である。
【００５２】
図１８において、（ａ）、（ｂ）、（ｃ）のどの位置ずれの状態であっても、コネクタ端子を接合することができ、分離した両者を正確にあわせなくとも＋−０．７ａ．ｕ．の範囲内で、隣接する端子同士が短絡することなく、かつ表示媒体の端子の抜けが生じることもなくコネクタ端子同士を接続することができる。さらには、絶対的な電気配線の整列を一致させなくても、相対的にコネクタが接続されていれば、そのまま又は位置補正をすることにより、表示媒体本体に的確な電圧又は電流を表示媒体書き込み部から印加することができる。
【００５３】
このように電極の幅が異なる構成とすることにより、電極ピッチの半分以上の位置ずれに対しても短絡を防止し、かつ簡単に電気的接触を可能とすることができるようになる。これは、片方が紙のような表示媒体本体であるために、その解像度単位での相対的又は絶対的な位置決めが難しい点を、大幅に簡単にできるようにするものである。
【００５４】
ただし、（ｃ）より位置ずれがわずかに大きい場合、具体的には０．９〜１．１ａ．ｕ．の場合には、端子２６ａ間の隙間に位置してしまうため、短絡しない代わりに、端子同士が接続もできなくなるので、表示媒体に電圧又は電流が印加できなくなるという欠点もあり、この点を位置決め方法により調整することが望ましい。
【００５５】
さらには、絶対的な電気配線の整列を一致させなくても、相対的にコネクタが接続されていれば、そのまま又は画像情報の位置補正をして、表示媒体本体に的確な電圧又は電流を表示媒体書き込み部から印加することにより、表示媒体に適性な画像を出力することができる。
【００５６】
本発明によるさらに別の実施形態を図１９に基づいて以下に説明する。図１９は、表示媒体本体と表示媒体書き込み部との位置ずれを示した実施概要図であり、図１９の２６ａ〜２６ｃは表示媒体本体の幅１．４ａ．ｕ．のコネクタ端子であり（この電極のピッチを２．０ａ．ｕ．とする）、（ａ）の位置にある３０ａ〜３０ｆは、表示媒体書き込み部分の幅０．５ａ．ｕ．のコネクタ端子であり（この電極のピッチを１．０ａ．ｕ．とする）、この（ａ）の位置が右位置ずれ０．５ａ．ｕ．（左位置ずれ０．５ａ．ｕ．）の位置であり、（ｂ）の位置にある３１ａ〜３１ｆは、表示媒体書き込み部分のコネクタ端子であり、この（ｂ）の位置が位置ずれ０ａ．ｕ．の位置である。
【００５７】
図１９において、（ａ）、（ｂ）のどの位置ずれの状態であっても、コネクタ端子を接合することができ、分離した両者を正確にあわせなくとも、隣接する端子同士が短絡することなく、かつ表示媒体の端子の抜けが生じることもなくコネクタ端子同士を接続することができる。また、図１８において生じた、２６の端子の隙間にもう一方の電極が配置して電気的接触ができなくことも、倍の密度の電極を設けてあるために、（ｂ）に示すように３１ｃが電気的接触できなくても３１ｂが電気的接触可能なため、これに電圧又は電流を印加することにより、表示媒体本体に電圧又は電流を印加することができる。また、（ａ）に示すように、３０ａ、３０ｂと複数の電極で電気的接触がとれているときには、少なくとも一方にこれに電圧又は電流を印加することにより、表示媒体本体に電圧又は電流を印加することができる。これらは、あらかじめ設けた位置検出機構又は表示媒体書き込み部の電気回路の表示媒体本体からの応答信号により調整することができる。図１９のように、電気配線のピッチと異なる構造とすることにより、複雑な位置決めなしに、常に電気的に接続可能でかつ短絡を防止した表示媒体本体と表示媒体書き込み部の接続ができる。
【００５８】
さらには、絶対的な電気配線の整列を一致させなくても、相対的にコネクタが接続されていれば、そのまま又は画像情報の位置補正をすることにより、表示媒体本体に的確な電圧又は電流を表示媒体書き込み部から印加することにより、表示媒体に適性な画像を出力することができる。
【００５９】
また、これらの電気配線のピッチの比は、一方が他方の倍数であることが特に好ましい。これは、複数の端子がきちんともう一方の端子へ一定比、一定のずれ量で対応するからである。
【００６０】
しかしながら、図２０に示すように、３３ａ〜３３ｅは表示媒体本体の幅９／２０ａ．ｕ．のコネクタ端子であり（この電極のピッチを２．０ａ．ｕ．とする）、位置にある３２ａ〜３２ｆは、表示媒体書き込み部分の幅７／２０ａ．ｕ．のコネクタ端子であり（この電極のピッチを１．５ａ．ｕ．とする）、このコネクタ端子３２は、左右に任意にずれても、必ず電気的な接触を確保してかつ中抜けが生じることはなく、出力する電気信号を的確に制御することにより短絡を防止することができる。これらは、幅、ピッチを倍数でない比で構成しても、上記短絡防止と、電気的接続の確保に効果的であることを示す。
【００６１】
本発明によるさらに別の実施形態を図２１に基づいて以下に説明する。図２１の３４ａ〜３４ｄはセグメント電極であり、金属電極が絶縁体薄膜で被覆されてなり、３５は電気容量の検出回路であり、３６ａ，３６ｂは３５への電源用配線であり、３６ｃ，３６ｄは電気容量の検出結果の信号出力端子である。
【００６２】
表示媒体本体に対する入力情報等を、付加情報として伝達する電気配線を同時に設けたことにより、余分な配線構造を設けることなく、小型薄型化のまま表示媒体本体の機能に、単なる表示という機能以外のものを付加して、その機能を高めることができる。
【００６３】
また、これらの整列構造を設けた電気配線は、電源入力、信号の出力用の端子に限定されるものでなく、これに限らず電源出力、信号入力用端子であってもよく、また単にシリアル又はパラレルな画像情報であってもよく、さらには、これらの電気配線が多層構造を有しているとより効果的である。また、光入出力端子、磁気入出力端子、あるいは圧力入出力端子を同様の構造で付加してもかまわない。
【００６４】
【実施例】
以下、本発明を実施例、参考例により具体的に説明する。
【００６５】
参考例１
厚さ０．１２５ｍｍのポリカーボネートフィルムからなる基板本体上にポリビニルアルコール、エチレンビニルアルコール共重合体からなるコート層とエポキシ樹脂からなるコート層の２層からなるバリア層をコーティングした後に、さらにその基板本体上にＩＴＯ薄膜を２００Ω／□以下でスパッタリング法により形成した。これに、１ａ〜１ｄ及び１０ａ〜１０ｄに相当するレジストパターンを形成後、塩化第二鉄及び塩酸を含む水溶液でエッチングした。これに、ポリイミドを溶解した有機溶液を４の形状に塗布印刷した後、１２０℃で乾燥させて約２０ミクロンの厚さの絶縁膜を形成した。さらに、この全面にＡｌ薄膜を、真空スパッタリング法により形成して、これに２ａ〜２ｄに相当するレジストパターンを形成後、りん酸、硝酸及び酢酸を含む水溶液でエッチングし、基板３を作製した。この基板３上に、以下のようにしてマイクロカプセルを塗工した。
【００６６】
マイクロカプセルは分散媒と染料と顔料粒子からなる泳動粒子を基本芯物質として構成されるものである。分散媒として、テトラクロロエチレンに０．５ｗｔ．％の青色染料（マクロレックスブルーＲＲ：バイエル社）を溶解したものを用い、泳動粒子として、表面をＡｌで処理した平均粒径０．２１μｍの二酸化チタン（ＣＲ６０：石原産業（株））を用いた。この粒子とオレイン酸を分散媒に各々１０ｗｔ．％と０．５ｗｔ．％混合して、分散液とした。この分散液を内包するマイクロカプセルを以下のように作製した。ゼラチン水溶液とアラビアゴム水溶液を混合して、５０℃に昇温し、水酸化ナトリウム水溶液を加えてｐＨを９に調整した。この中に分散液を加え、攪拌して乳化させる。さらにｐＨを４まで徐々に下げて分散液界面にゼラチン／アラビアゴムの濃厚液を析出させた後、温度を下げて皮膜をゲル化し、グルタールアルデヒド水溶液を加えて硬化させた。このようにしてゼラチンを壁材とするマイクロカプセルのスラリーを得た。カプセル径は平均６０μｍとなるように乳化条件を制御した。
【００６７】
塗工は以下のように行った。ポリビニルアルコール１０％水溶液に等重量の上記マイクロカプセルスラリーを加えた固形分比５０％以上の塗工液をホモジナイザーで攪拌することにより調製し、この塗工液をブレードコーターで塗布し、８５℃で２０分間裏面乾燥させることによりマイクロカプセルとポリビニルアルコールがひとつの層をなす表示材料からなる層を電気配線付き基板３上に形成した。
【００６８】
また、同様にしてＩＴＯ薄膜付きポリカーボネート基板をエッチングすることにより電気配線付き基板８を作製した。これに平滑層として同様にポリイミドからなる薄膜を形成した後、多量の粘着剤を塗布した上で、電気配線付き基板３と電気配線付き基板８を貼合わせて表示媒体本体部分とした。さらに、それぞれ走査電極用と信号電極用のコネクタ端子とに単純マトリックス駆動用のＩＣをもつＰＣＢとの端子部分とをワイヤボンディングにより接続し、さらに基板３とＰＣＢを固定したうえで、ワイヤボンディング部分をエポキシ系封止剤で密封することにより、図２に相当する表示媒体を作製した。実際には、このＰＣＢにさらに画像情報に対応して信号を出力するＣＰＵを搭載したボード型の演算装置を接続せしめた。
【００６９】
このとき、表示画素の解像度としては、約５０ｄｐｉとし、走査電極及び信号電極のピッチを５０ｄｐｉとし、表示箇所の電極幅を０．３ｍｍとした。また、表示画素数を５０×５０とした。このため、表示媒体の表示部分の実質的な平面の大きさは、約２５ｍｍ×約２５ｍｍであった。また、１ａ〜１ｄのコネクタ端子の長さを約５ｍｍとし、これに接続するＰＣＢ上の端子部分の長さも約５ｍｍとし、この部分のＰＣＢの幅を２０ｍｍとし、幅は表示媒体の長さ約２５ｍｍと同じとなるように作製した。また、両端の２ａ〜２ｄに対応する長さを２ｍｍとし、この方向の基板の余裕を片側３ｍｍとした。これにより、電気配線付き基板３の大きさはほぼ３５ｍｍ×３０ｍｍであり、電気配線付き基板８の大きさもほぼ同様であり、ずらして貼合わせた表示媒体本体の大きさは３５ｍｍ×３５ｍｍであり、さらに片側に２５ｍｍ×５ｍｍのＰＣＢが付随するために、長さ約７５ｍｍ×幅３５ｍｍ（２６２５ｍｍ２）であり、長さ方向は長いものの、横方向には、もとの表示媒体の幅２５ｍｍと比較してＰＣＢを含めても３５ｍｍと小型の表示媒体となった。
【００７０】
上記で作製した表示媒体の特定の表示箇所に、上面が負になるように１０Ｖの電圧を印加したところ、５秒後には、その色の白色が増加し、泳動粒子による視認性の変化が観察できた。さらに、上面が正になるように１０Ｖの電圧を印加したところ、５秒後には、その色の青色が増加し、泳動粒子による視認性の変化が観察できた。この青色は、初期状態の青色と比較して濃い色であった。また、電圧の印加を停止して観察をつづけたところ、白色又は青色のどちらの場合でも、１日以上その色に変化はなかった。また、特定の表示箇所位以外に色の変化はなかったが、電圧を印加した表示箇所の周辺になだらかな色の階調変化が見られ、電界に対して急峻でない電気泳動表示特有の解像度の低下がみられたが、５０ｄｐｉとしては十分なエッジであった。
【００７１】
比較例１
基本的には参考例１の表示媒体の作製方法と同様な作製方法を用いた。また、構成材料の長さも、参考例１と比較できるように対応させた。厚さ０．１２５ｍｍのポリカーボネートフィルムからなる基板本体上に、ポリビニルアルコール、エチレンビニルアルコール共重合体からなるコート層とエポキシ樹脂からなるコート層の２層からなるバリア層をコーティングした後、さらにその基板本体上にＩＴＯ薄膜を２００Ω／□以下でスパッタリング法により形成した。これに図２２で示される単純マトリックス駆動に対応した短冊状電極の形状をレジストパターンを形成後、塩化第二鉄及び塩酸を含む水溶液でエッチングした。これに、ポリイミドを溶解した有機溶液を所定の形状に塗布印刷した後、１２０℃で乾燥させて約２０ミクロンの厚さの絶縁膜を形成した。この基板上に、参考例１と同様にしてマイクロカプセルを塗工した。さらに、参考例１と同様にしてＩＴＯ薄膜付きポリカーボネート基板をエッチングすることにより、対向する基板を作製した。これにも平滑層として同様にポリイミドからなる薄膜を形成した後、多量の粘着剤を塗布した上で、これら２枚の電気配線付き基板を貼合わせた。さらに、それぞれ走査電極用と信号電極用のコネクタ端子とに単純マトリックス駆動用のＩＣをもつＰＣＢとの端子部分とをワイヤボンディングにより接続し、さらに基板とＰＣＢを固定したうえで、ワイヤボンディング部分をエポキシ系封止剤で密封することにより、比較例の表示媒体を作製した。実際には、このＰＣＢにさらに画像情報に対応して信号を出力するＣＰＵを搭載したボード型の演算装置を接続せしめた。
【００７２】
このとき、表示画素の解像度としては、５０ｄｐｉとし、走査電極及び信号電極のピッチを５０ｄｐｉとし、表示箇所の電極幅を０．３ｍｍとした。また、表示画素数を５０×５０とした。このため、表示媒体の表示部分の実質的な平面の大きさは、約２５ｍｍ×約２５ｍｍであった。また、１ａ〜１ｄに相当する２方向のコネクタ端子の長さを約５ｍｍとし、これに接続するＰＣＢ上の端子部分の長さも約５ｍｍとし、この部分のＰＣＢの幅を２０ｍｍとし、幅は表示媒体の長さ約２５ｍｍと同じとなるように作製した。横方向の基板の余裕を片側３ｍｍとした。これにより、２枚の基板の大きさはほぼ３２ｍｍ×３０ｍｍであったが、垂直方向に位置をずらして重ねるため、貼合わせた表示媒体本体の大きさは３３ｍｍ×３３ｍｍであり、さらに片側に２５ｍｍ×２５ｍｍのＰＣＢが付随するために、長さ約５３ｍｍ×幅５３ｍｍ（２８０９ｍｍ２）であり、正方形に近い形状のために面積は比較してそれほど大きくはないものの、どちらの方向も、もとの表示媒体の幅２５ｍｍと比較してＰＣＢを含めても５３ｍｍと２倍以上の大きさとなってしまった。
【００７３】
参考例２
厚さ０．１２５ｍｍのポリカーボネートフィルムからなる基板本体上にポリビニルアルコール、エチレンビニルアルコール共重合体からなるコート層とエポキシ樹脂からなるコート層の２層からなるバリア層をコーティングした後、さらにその基板本体上にＩＴＯ薄膜を２００Ω／□以下でスパッタリング法により形成した。これに１ａ〜１ｄ及び１０ａ〜１０ｄに相当するレジストパターンを形成後、塩化第二鉄及び塩酸を含む水溶液でエッチングした。また、基板１７として、基板３と同様のＩＴＯ薄膜付きポリカーボネート基板を用い、これに２ａ〜２ｄの基板１７上部分に相当するレジストパターンを形成後、塩化第二鉄及び塩酸を含む水溶液でエッチングした。ただし、基板の厚さとしては０．０５ｍｍの薄いものを用いた。基板１７の裏面に２液性エポキシ系接着剤を塗布した後、基板３と密着させ、基板３と基板１７を一体化した。次に、導電性樹脂塗料を１５の部分に塗工印刷した。この後、この基板上に参考例１と同様にマイクロカプセルを塗工し、さらに後の工程は参考例１と同様にして表示媒体を作製した。
【００７４】
参考例３
参考例１において、基板３と基板８を貼合わせて表示媒体本体部分としたものに対して、異方導電性ゴムを用いて、ＰＣＢ基板と圧着させて接続するようにした以外は参考例１と同様にして表示媒体を作製した。このため、厚さ方向に異方導電性ゴム分とその支持に５ｍｍ程度の大きさの増加が生じたが、それ以外の大きさは同じであった。参考例１と同様に、表示媒体の特定の表示箇所に、上面が負になるように１０Ｖの電圧を印加したところ、５秒後には、その色の白色が増加し、泳動粒子による視認性の変化が観察できた状態で、異方性導電性ゴムをとりはずして、表示媒体本体部分のみにしても、この特定の表示箇所の視認性は保持されたままであった。また、手で軽く直径５０ｍｍの円柱に押し当てて屈曲変形させてみたが、その視認性に変化はなかった。
【００７５】
実施例１
参考例１において、基板３上のレジストパターンを図１０に対応して、片側から偏向する形状とし、絶縁膜１９の材質は同様にして、Ａｌをエッチングするレジストパターンにあらたに電極１７ａ〜１７ｄの形状を付加して基板３を作製した。あとは参考例１と同様にしてマイクロカプセルを塗工した。また、基板８上のレジストパターンを図１１に対応した形状とした。これらは実際には、画素数、解像度、長さ等は参考例１に準じている。さらに、信号電極２１ａ〜２１ｄ上には、高粘性の導電ペーストを印刷塗布した。これらの２枚の基板を参考例１と同様に貼合わせて、表示媒体本体部分を作製し、さらにＰＣＢを設けた。このとき、１ａ〜１ｄのコネクタ端子の長さを約５ｍｍとし、これに接続するＰＣＢ上の端子部分の長さも約５ｍｍとし、１７ａ〜１７ｄのコネクタ端子の長さを約８ｍｍとした。この８ｍｍのうちの５ｍｍはＰＣＢとの接続用であり、２ｍｍは反対側の、１ｍｍは隙間としての余裕分である。さらに、この８ｍｍのコネクタ端子の上下に３ｍｍの余裕分としての隙間を設けた。これにより、基板３の大きさはほぼ幅３５ｍｍ×４４ｍｍとなった。これは、参考例１より縦に２ｍｍ長い。基板８の大きさが相対的に小さいため、この基板３の大きさが表示媒体本体の大きさとなり、これにＰＣＢを接続するが、ＰＣＢは、参考例１の２５ｍｍ×２５ｍｍを２個に対して１個となるのが、助長回路部分を省略できて、４０ｍｍ×２５ｍｍとなるが、基板と１５ｍｍ重なるので実質２５ｍｍ×２５ｍｍの増加となり、付随したＰＣＢを含めた大きさは長さ約７９ｍｍ×幅３５ｍｍ（２７６５ｍｍ２）となり、参考例１とほぼ同様に横方向には小型の表示媒体となった。しかも、同一方向、同一側でＰＣＢを接続できるので、組立作業性が非常に優れ、表示媒体の３方向を自由に部品を配置できるようになった。この表示媒体に手書きをする場合にも、ＰＣＢが邪魔になることはなくなった。
【００７６】
実施例２
実施例１の表示媒体の配列したコネクタ端子１ａ〜１ｄ、１７ａ〜１７ｄに対応したコネクタ端子を形成したＦＣＰを作製した。これらは実際には、画素数、解像度、長さ等は参考例１に準じている。このＦＣＰには、表示媒体の駆動用ＩＣを設けてあり、さらには、参考例１と同様に、このＦＣＰにさらに画像情報に対応して信号を出力するＣＰＵを搭載したボード型の演算装置を接続せしめた。このＦＣＰのコネクタ端子部分と、表示媒体本体のコネクタ端子１ａ〜１ｄ、１７ａ〜１７ｄとを、１対１で正確に位置を決めた後、ＦＣＰの裏面にゴムを設けてクリップ構造の部材により強く挟むことにより、ＦＣＰと表示媒体本体との電気的接続を行った（図１４及び図１５に対応した状態）。こののち、参考例１と同様に、表示媒体の特定の表示箇所に、上面が負になるように１０Ｖの電圧を印加したところ、５秒後には、その色の白色が増加し、泳動粒子による視認性の変化が観察できた状態で、クリップ構造の部材をとりはずして、表示媒体本体部分のみにしても、この特定の表示箇所の視認性は保持されたままであった。この表示媒体本体部分は、上部の一方側の部分にしか電極が形成されていないため、紙として書き込んだり、めくったりしやすかった。
【００７７】
さらに、再びＦＣＰと表示媒体本体との電気的接続を行って、今度は、表示媒体の特定の表示箇所に、下面が負になるように１０Ｖの電圧を印加したところ、５秒後には、その色の青色が増加し、泳動粒子による視認性の変化が観察できた。さらに、表示媒体の特定の表示箇所に、上面が負になるように１０Ｖの電圧を印加したところ、５秒後には、その色の白色が増加し、泳動粒子による視認性の変化が観察できた状態で、再びクリップ構造の部材をとりはずして、表示媒体本体部分のみにしても、この特定の表示箇所の視認性は保持されたままであった。また、この表示媒体を１日後に観察したが、その視認性は保持されたままであった。これらの表示媒体を３枚作製して、上部を単なるクリップで挟んだ場合には、上部の電極に、通常の頁捲りでは手が触れることがなく、電極が手の油で汚染されることはなかった。
【００７８】
比較例２
比較例１における２方向に配列した電極に対応したＬ字型のＦＣＰを作製した。あとは、実施例２と同様として表示媒体を作製した。ＦＣＰと表示媒体が一体の場合は、ＦＣＰのために表示媒体の屈曲性が減少した。また、２方向にあるＦＣＰが実施例２の上部だけにあるＦＣＰと比較して表示媒体に対する頁めくり又は手書き入力時に邪魔であった。また分離した場合には、電極が２辺にあるため、一方、特に横方向の電極に手が接触しやすく、何箇所かが手の油で汚染された。
【００７９】
実施例３
実施例２において、表示媒体側のコネクタ端子の約５０ピッチの０．５ｍｍに対して、この電極幅を０．３ｍｍとし、ＦＣＰ側のピッチは同様にして、０．５ｍｍに対して、この電極幅を０．３ｍｍとした。このとき、位置合わせが、（＋−０．１＋ｎ×０．２５）ｍｍ以内であれば（ｎは整数で相対位置の場合）よい。＋−０．１ｍｍは突き当てによる物理的な位置合わせ精度の範囲としては難しく、ＦＣＰ側に表示媒体の突き当ての板を設けても、短絡する場合が１０回に３回くらい生じた。確実に表示媒体とＦＣＰとの電気的な接続を行うことができた。ただし、突き当てを設けず、かつ位置ずれが０．２４とたまたまなった場合には、短絡は生じないものの、電気的な接続を行うことはできなかった。しかしながら、上記の短絡や未接続状態が生じた場合においても、表示媒体を横に手でずらしたり、再度突き合わせることを繰り返すことによって、電気的な接続も行うことができた。
【００８０】
実施例４
実施例２において、表示媒体側のコネクタ端子の約５０ピッチの０．５ｍｍに対して、この電極幅を０．３ｍｍとし、ＦＣＰ側のピッチは同様にして、０．５ｍｍに対して、この電極幅を０．１５ｍｍとした。このとき、位置合わせが、（＋−０．２２５＋ｎ×０．２５）ｍｍ以内であれば（ｎは整数で相対位置の場合）よい。＋−０．２２５ｍｍは十分に突き当てによる物理的な位置合わせ精度の範囲内であり、ＦＣＰ側に表示媒体の突き当ての板を設けることにより、１０回のうち１回も短絡することなく、全て確実に表示媒体とＦＣＰとの電気的な接続を行うことができた。ただし、突き当てを設けず、かつ位置ずれが０．２４とたまたまなった場合には、短絡は生じないものの、電気的な接続を行うことはできなかった。これは、１０回のうち２回生じた。
【００８１】
実施例５
実施例２において、表示媒体側のコネクタ端子の約５０ピッチの０．５ｍｍに対して、この電極幅を０．３ｍｍとし、ＦＣＰ側のピッチは同様にして、０．２５ｍｍに対して、この電極幅を０．１ｍｍとした。このとき、位置合わせは、ＦＣＰの特定電極に対しては＋−０．３ｍｍ以内で表示媒体の特定電極と接続できるが、実際には、表示電極に対してはどの位置にあっても少なくとも１つ以上のＦＣＰの電極が接続されており、また表示電極同士が短絡する可能性もない。このため、平行度をある程度目合わせで維持したところ、突き当てなし、１０回のうち１回も短絡することなく、全て確実に表示媒体とＦＣＰとの電気的な接続を行うことができた。ただし、ＦＣＰの出力信号同士が干渉又は短絡しないために、電気回路の応答内容又はその他の方法により、ＦＣＰの出力電圧又は電流を表示媒体の電極に対応する必要があった。
【００８２】
実施例６
実施例２において、表にＩＴＯのパターンを形成した基板８の裏面に、さらに全面にＡｌ薄膜を、真空スパッタリング法により形成して、２本の短冊形状のレジストパターンを形成後、りん酸、硝酸及び酢酸を含む水溶液でエッチングして基板８を作製した。この短冊形状の端部は、図２１の３６ａ，３６ｂに対応した形状をしている。これらは実際には、画素数、解像度、長さ等は実施例２に準じているが、横方向だけ、余分に電極を設けるために少し基板が長い。また、ＦＣＰの一部に、３６ａ，３６ｂに対応した電極を設けて、１７ａ〜１７ｄと同時に同様の構造で、ＦＣＰと電気的に接続できるようにした。さらに、ＦＣＰ側に、この２点の電極間の抵抗を検知する回路を設け、この２点の電極間の抵抗が１ＭΩ以下の時には、表示媒体のすべての表示箇所に、下面が負になるように１０Ｖの電圧を印加するようにした。このとき、表示媒体の特定の表示箇所に、上面が負になるように１０Ｖの電圧を印加したところ、５秒後には、その色の白色が増加し、泳動粒子による視認性の変化が観察できた。さらに、基板８に設けられたＡｌ電極間が短絡するように金属棒を接触させたところ、５秒後には、その色の青色が増加し、泳動粒子による視認性の変化が観察できた。
【００８３】
【発明の効果】
本発明によれば、小型、薄型、屈曲性のある表示媒体を表示状態を保持したまま書き込み部分から外すことができるので、手軽に持ち歩いたり、複数の画像を並べて見たり、重ねて頁捲りをして見たりすることが容易にできる。
【図面の簡単な説明】
【図１】  本件参考発明による一実施形態の表示媒体の構成要素を示す説明図である。
【図２】  図１の表示媒体を上から見た図である。
【図３】  図１のＸ−Ｘ’断面図である。
【図４】  図１の構成要素をさらに詳細に示す図である。
【図５】  図１の構成要素をさらに詳細に示す図である。
【図６】  本件参考発明の別の実施形態であり、多層構造をもつ基板の断面図である。
【図７】  本件参考発明の別の実施形態であり、多層構造をもつ基板の断面図である。
【図８】  本件参考発明のさらに別の実施形態を示す断面図である。
【図９】  本件参考発明のさらに別の実施形態を示す平面図であり、図２の状態に相当するものを示す。
【図１０】  本発明の実施形態を示す平面図であり、図１の左側の状態を示す。
【図１１】  本発明の別の実施形態を示す平面図であり、図１の右側の状態を示す。
【図１２】  本発明の別の実施形態の表示媒体を上から見た図である。
【図１３】  図１０のＹ−Ｙ’断面図である。
【図１４】  さらに別の実施形態の実施概念図である。
【図１５】  表示媒体書き込み部に表示媒体本体を挟みこんだ様子を示す図である。
【図１６】  表示媒体書き込み部と表示媒体本体が分離した様子を示す図である。
【図１７】  表示媒体書き込み部分の説明図である。
【図１８】  さらに別の実施形態であり、表示媒体本体と表示媒体書き込み部との位置ずれを示した概念図である。
【図１９】  さらに別の実施形態であり、表示媒体本体と表示媒体書き込み部との位置ずれを示した概念図である。
【図２０】  表示媒体本体と表示媒体書き込み部との位置ずれを示した概念図である。
【図２１】  さらに別の実施形態の表示装置を上から見た図である。
【図２２】  従来の表示装置の一例の実施概要図である。
【図２３】  従来の表示装置の一例の実施概要図である。
【図２４】  従来の表示装置の一例の実施概要図である。
【符号の説明】
１（１ａ〜１ｄ）  走査電極のコネクタ端子
２（２ａ〜２ｄ）  走査電極
３  電気配線を設けた基板
４  絶縁膜
５（５ａ〜５ｄ）  走査電極スイッチング部分
６（６ａ〜６ｄ）  信号電極スイッチング部分
７  電源
８  電気配線を設けた基板
９（９ａ〜９ｄ）  信号電極
１０（１０ａ〜１０ｄ）  接続配線
１１  絶縁膜
１２（１２ａ〜１２ｄ）  表示箇所
１３  スペーサ兼封止部分
１４  表示箇所と同じ材料
【図１】
0004234848.tif 000002
【図２】
0004234848.tif 000003
【図３】
0004234848.tif 000004
【図４】
0004234848.tif 000005
【図５】
0004234848.tif 000006
【図６】
0004234848.tif 000007
【図７】
0004234848.tif 000008
【図８】
0004234848.tif 000009
【図９】
0004234848.tif 000010
【図１０】
0004234848.tif 000011
【図１１】
0004234848.tif 000012
【図１２】
0004234848.tif 000013
【図１３】
0004234848.tif 000014
【図１４】
0004234848.tif 000015
【図１５】
0004234848.tif 000016
【図１６】
0004234848.tif 000017
【図１７】
0004234848.tif 000018
【図１８】
0004234848.tif 000019
【図１９】
0004234848.tif 000020
【図２０】
0004234848.tif 000021
【図２１】
0004234848.tif 000022
【図２２】
0004234848.tif 000023
【図２３】
0004234848.tif 000024
【図２４】
0004234848.tif 000025